(57)【要約】【課題】  角型の竪樋を取り付け保持させた施工仕上がり外観が良好で、同竪樋を取り付ける施工も容易となる竪樋支持具を提供する。【解決手段】  建物壁面１に取着される取付支持体２と、取付支持体２の前端部分に設けられて竪樋３を包持する竪樋保持体４とを備え、竪樋保持体４が、取付支持体２の前端部分に結合される固定片部５と、固定片部５の一端に回動軸部６を介し枢着されて回動開閉される可動片部７とを有し、竪樋保持体４を前方へ開口した略コ字状に形成し、竪樋保持体４の後側コーナー部分に回動軸部６を位置させて、回動軸部６の一方側に略Ｌ字状の固定片部５、他方側に前後直片状の可動片部７を配設し、固定片部５及び可動片部７の各前端に、内側へ突出して竪樋３の前側両角部分に係止される係止片部８を形成してなる。【選択図】図１
2006257734.tif 000002
【特許請求の範囲】
【請求項１】
建物壁面に取着固定される取付支持体と、取付支持体の前端部分に設けられて角型の竪樋を包持する竪樋保持体と、を備えてなり、竪樋保持体が、取付支持体の前端部分に結合される固定片部と、固定片部の一端に回動軸部を介し枢着されて水平方向で回動開閉される可動片部と、を有する竪樋支持具であって、竪樋保持体を前方へ開口した平面視略コ字状に形成し、同竪樋保持体の後側片方のコーナー部分に回動軸部を位置させて、この回動軸部の一方側に平面視略Ｌ字状の固定片部、他方側に前後直片状の可動片部を配設し、同固定片部及び可動片部の各前端に、内側へ突出して竪樋の前側両角部分に各々が着脱自在に係止される係止片部を形成してなる竪樋支持具。
【請求項２】
竪樋保持体が平面視略コ字状となる閉保持状態で可動片部の回動を停止維持させるストッパー手段を回動軸部に設けたことを特徴とする請求項１記載の竪樋支持具。
【請求項３】
回動軸部を、略垂直な軸ピンと、軸ピンに相互で回動自在に外嵌される平面視略切欠輪状の軸受けと、で形成し、軸ピンの外周面に突起を設け、この突起が軸受けの内周面に摺接されて同軸受けの切欠開口で着脱自在に係止されることにより可動片部の回動を停止維持させるストッパー手段としたことを特徴とする請求項２記載の竪樋支持具。
【請求項４】
包持される竪樋を前方へ押圧して両係止片部に押し当てる弾性付勢手段を竪樋保持体の固定片部に設けたことを特徴とする請求項１〜３のいずれか一つに記載の竪樋支持具。
【発明の詳細な説明】
【技術分野】
【０００１】
本願発明は、建物壁面に取着固定される取付支持体と、取付支持体の前端部分に設けられて角型の竪樋を包持する竪樋保持体と、を備えた竪樋支持具に関するものである。
【背景技術】
【０００２】
従来から、図５に示す如く、建物壁面１に取着固定される取付支持体２と、取付支持体２の前端部分に設けられて角型の竪樋３を包持する竪樋保持体４と、を備えてなり、竪樋保持体４が、取付支持体２の前端部分に結合される固定片部５と、固定片部５の一端に回動軸部６を介し枢着されて水平方向で回動開閉される可動片部７と、を有する竪樋支持具（従来例１）が一般に知られている。
【０００３】
この場合、竪樋保持体４はその全体形状が平面視略ロ字状で、同竪樋保持体４の片方の側部中程には回動軸部６が位置し、他方の側部中程では固定片部５と可動片部７とが着脱自在に係合されて同可動片部７は回動開閉される。それ故、固定片部５及び可動片部７はいずれも平面視略コ字状であり、各一端が回動軸部６を介して枢支連結され、固定片部５の他端に係止受け部２４が、可動片部７の他端に係止部２５が、各々設けられ、同係止受け部２４に係止部２５が着脱自在に係合されることによって回動開閉される。
【０００４】
したがって、この竪樋支持具では、係止受け部２４に対して係止部２５を着脱させ、可動片部７を水平方向で回動開閉させて、固定片部５に前方から角型の竪樋３を取り付けることができ、取り付けられた同竪樋３は、可動片部７と固定片部５とで前後から挟持されるようにして保持される。しかしながら、この場合、竪樋保持体４の可動片部７が竪樋３の前側を横切るように大きく現出し、同竪樋保持体４の片方の側部中程に回動軸部６が、他方の側部中程に係止受け部２４及び係止部２５が、各々突出して現出するため、施工仕上がり外観が良くないという問題があった。
【０００５】
又、特許文献１には、図６に示すような竪樋支持具（従来例２）が開示されている。この竪樋支持具も、前記従来例１と同様に、建物壁面１に取着固定される取付支持体２と、取付支持体２の前端部分に設けられて角型の竪樋３を包持する竪樋保持体４と、を備えてなり、竪樋保持体４が、取付支持体２の前端部分に結合される固定片部５と、固定片部５の一端に回動軸部６を介し枢着されて水平方向で回動開閉される可動片部７と、を有している。ただ、この竪樋支持具では、回動軸部６と係止受け部２４及び係止部２５とが竪樋保持体４の両側部で各々後側に配設されている。
【０００６】
したがって、この竪樋支持具では、回動軸部６と係止受け部２４及び係止部２５とが前方から見え難くなるので、前記従来例１に比して施工仕上がり外観は良くなる。しかしながら、この場合にあっても、竪樋保持体４の可動片部７は竪樋３の前側を横切るように大きく現出しており、施工仕上がり外観が良好であるとは言い難い。しかも、この場合、竪樋保持体４の可動片部７が平面視略コ字状で前後方向に長く大きなものとなるため、同可動片部７を水平方向で回動開閉させ難くなって、施工性の面で新たな問題を生じるものであった。
【特許文献１】特開平１１−１０７４６９号公報
【発明の開示】
【発明が解決しようとする課題】
【０００７】
本願発明は、上記背景技術に鑑みて発明されたものであり、その課題は、角型の竪樋を取り付け保持させた施工仕上がり外観が良好で、同竪樋を取り付ける施工も容易となる竪樋支持具を提供することである。
【課題を解決するための手段】
【０００８】
上記課題を解決するために、本願発明の竪樋支持具は、建物壁面に取着固定される取付支持体と、取付支持体の前端部分に設けられて角型の竪樋を包持する竪樋保持体と、を備えてなり、竪樋保持体が、取付支持体の前端部分に結合される固定片部と、固定片部の一端に回動軸部を介し枢着されて水平方向で回動開閉される可動片部と、を有する竪樋支持具であって、竪樋保持体を前方へ開口した平面視略コ字状に形成し、同竪樋保持体の後側片方のコーナー部分に回動軸部を位置させて、この回動軸部の一方側に平面視略Ｌ字状の固定片部、他方側に前後直片状の可動片部を配設し、同固定片部及び可動片部の各前端に、内側へ突出して竪樋の前側両角部分に各々が着脱自在に係止される係止片部を形成してなるものである。
【発明の効果】
【０００９】
本願発明の竪樋支持具においては、竪樋保持体が前方へ開口した平面視略コ字状に形成されて、角型の竪樋を保持させた状態でその前側に同竪樋保持体は現出せず、しかも、同竪樋保持体の後側片方のコーナー部分に回動軸部が位置して、この回動軸部は前方から見え難く、同竪樋を取り付け保持させた施工仕上がり外観が良好となる。又、竪樋保持体では、平面視略Ｌ字状の固定片部に竪樋を当接させ、その一方の前側角部分に同固定片部の前端の係止片部を係止させて同竪樋を仮保持し、この仮保持状態で前後直片状の可動片部を水平方向で簡単に回動開閉させることができ、同可動片部の前端の係止片部を前記竪樋の他方の前側角部分に係止させて、同竪樋を容易且つ確実に取り付け保持させることができる。
【発明を実施するための最良の形態】
【００１０】
図１〜４は、本願の請求項１〜４の全てに対応した一実施形態である竪樋支持具を示している。この実施形態の竪樋支持具は、図１、２に示す如く、建物壁面１に取着固定される取付支持体２と、取付支持体２の前端部分に設けられて角型の竪樋３を包持する竪樋保持体４と、を備えている。又、この竪樋支持具では、前記竪樋保持体４が、取付支持体２の前端部分に結合される固定片部５と、固定片部５の一端に回動軸部６を介し枢着されて水平方向で回動開閉される可動片部７と、を有している。
【００１１】
そして、この実施形態の竪樋支持具では、その構成上の特徴として、竪樋保持体４を前方へ開口した平面視略コ字状に形成し、同竪樋保持体４の後側片方のコーナー部分に回動軸部６を位置させて、この回動軸部６の一方側に平面視略Ｌ字状の固定片部５、他方側に前後直片状の可動片部７を配設し、同固定片部５及び可動片部７の各前端に、内側へ突出して竪樋３の前側両角部分に各々が着脱自在に係止される係止片部８を形成している。又、この場合、包持される角型の竪樋３を前方へ押圧して両係止片部８に押し当てる弾性付勢手段Ｆを、竪樋保持体４の固定片部５に設けてもいる。
【００１２】
更に、この実施形態の竪樋支持具では、竪樋保持体４が平面視略コ字状となる閉保持状態で可動片部７の回動を停止維持させるストッパー手段Ｓを回動軸部６に設けている。そして、この場合に、図３、４に大きく詳細に示す如く、回動軸部６を、略垂直な軸ピン９と、この軸ピン９に相互で回動自在に外嵌される平面視略切欠輪状の軸受け１０と、で形成し、軸ピン９の外周面に突起１１を設け、この突起１１が軸受け１０の内周面に摺接されて同軸受け１０の切欠開口１２で着脱自在に係止されることにより可動片部７の回動を停止維持させるストッパー手段Ｓとしている。
【００１３】
以下、この実施形態の竪樋支持具を、より具体的詳細に説明する。この実施形態の竪樋支持具は、図１、２に示す如く、その取付支持体２の後端部分が建物壁面１に取着されることで固定されている。この場合、取付支持体２は、建物壁面１に当接される上下方向に長い帯板状の固定板部１３と、この固定板部１３の中程から前方に突設される中空角杆状の支持杆部１４とでなる。固定板部１３の中程には上下方向の厚肉条部１５が設けられており、同固定板部１３の上下の厚肉条部１５でビス１６がねじ込まれることにより、取付支持体２と共に竪樋支持具は建物壁面１に対して強固に取着固定される。
【００１４】
前記取付支持体２の支持杆部１４の前端部分には、竪樋保持体４の平面視略Ｌ字状の固定片部５が結合されており、この場合、同取付支持体２と固定片部５とは合成樹脂にて一体成形されたものである。平面視略Ｌ字状の固定片部５は、支持杆部１４に結合される横辺５ａと、この横辺５ａの一端から前方へ突出する縦辺５ｂとでなり、同横辺５ａの中程が支持杆部１４の前端部分と結合している。そして、固定片部５の横辺５ａの中程には後方へ凹曲した段部１７が設けられており、この段部１７の両内壁面から前方へ傾斜して相互に対向するよう弾性片１８が一体に突設されている。
【００１５】
前記一対の弾性片１８は弾性付勢手段Ｆとなるもので、竪樋３の後壁中程を前方へと押圧して、同竪樋３の前側両角部分が竪樋保持体４の固定片部５及び可動片部７各前端の両係止片部８に押し当てられる。前記固定片部５の横辺５ａの他端には、後述する回動軸部６を介して可動片部７が枢着されており、この可動片部７も合成樹脂にて一体成形されたものである。この場合、横辺５ａの両端部分に面取り状の傾斜片部１９が配設されており、一方の傾斜片部１９を介して前記縦辺５ｂが前方へ突出され、他方の傾斜片部１９の先端部分に回動軸部６が設けられている。
【００１６】
前記可動片部７は水平方向で回動開閉されるもので、この可動片部７の中程内側、及び、前記固定片部５の縦辺５ｂの中程内側、各々には凸条２０が突設されており、両凸条２０が竪樋３の両側壁外面に相互で挟持するように当接することで、同竪樋３はがたつきなく確実に保持される。可動片部７の前端、及び、固定片部５の縦辺５ｂの前端、各々には内側へ折曲突出した係止片部８が形成されており、両係止片部８は竪樋３の前側両角部分に各々着脱自在に係止される。この場合、角型の竪樋３の各角部分には面取り状の凹段２１が形成されており、後側の凹段２１には前記傾斜片部１９が対応し、前側の凹段２１では、その片側内壁部２１ａに前記両係止片部８が各々着脱自在に係止される。
【００１７】
図３、４に示す如く、回動軸部６は、略垂直な軸ピン９と、この軸ピン９に相互で回動自在に外嵌される平面視略切欠輪状の軸受け１０と、で形成されている。この場合、前記竪樋保持体４の固定片部５側に軸受け１０が設けられ、軸ピン９は前記竪樋保持体４の可動片部７側に設けられている。軸ピン９にはその上下方向中程に大径部２２が設けられ、この大径部２２を介して同軸ピン９は可動片部７の基端部分に形成されている。平面視略切欠輪状の軸受け１０は、その切欠開口１２が竪樋保持体４の外側へ開口するよう固定片部５の横辺５ａの端部に形成され、その上下方向中程には前記軸ピン９の大径部２２が収容嵌合される開口溝部２３が設けられている。
【００１８】
軸ピン９は切欠開口１２から軸受け１０内に差し込むように嵌合されて回動摺接自在に保持され、その際、前記大径部２２が開口溝部２３に回動摺接自在に収容嵌合される。そして、軸ピン９の外周面には上下方向凸状の突起１１が設けられており、図４（ａ）に示す如く、軸受け１０の切欠開口１２に同突起１１が係止された状態で、可動片部７は前方へ突出された状態に停止維持される。この状態から可動片部７が回動されると、図４（ｂ）に示す如く、前記突起１１は軸受け１０の内周面に摺接される。すなわち、ストッパー手段Ｓは、軸ピン９の外周面の突起１１が軸受け１０の内周面に摺接されて同軸受け１０の切欠開口１２で着脱自在に係止されることにより可動片部７の回動を停止維持させるものである。
【００１９】
したがって、この実施形態の竪樋支持具においては、竪樋保持体４全体が前方へ開口した平面視略コ字状に形成されているので、角型の竪樋３を保持させた状態でその前側に同竪樋保持体４は現出せず、しかも、同竪樋保持体４の後側片方のコーナー部分に回動軸部６が位置しているので、この回動軸部６は前方から見え難く、同竪樋３を取り付け保持させた施工仕上がり外観が良好となる。又、竪樋保持体４にあっては、平面視略Ｌ字状の固定片部５に竪樋３を当接させ、この竪樋３の一方の前側角部分に同固定片部５の前端の係止片部８を係止させて同竪樋３を仮保持し、この仮保持状態で前後直片状の可動片部７を水平方向で簡単に回動開閉させることができ、同可動片部７の前端の係止片部８を前記竪樋３の他方の前側角部分に係止させて、同竪樋３を容易且つ確実に取り付け保持させることができる。
【００２０】
又、この実施形態の竪樋支持具においては、竪樋保持体４が平面視略コ字状となる閉保持状態で可動片部７の回動を停止維持させるストッパー手段Ｓを回動軸部６に設けているので、このストッパー手段Ｓによって同閉保持状態を確保することができる。又、この場合に、回動軸部６を、略垂直な軸ピン９と、軸ピン９に相互で回動自在に外嵌される平面視略切欠輪状の軸受け１０と、で形成し、軸ピン９の外周面に突起１１を設け、この突起１１が軸受け１０の内周面に摺接されて同軸受け１０の切欠開口１２で着脱自在に係止されることにより可動片部７の回動を停止維持させるストッパー手段Ｓとしているので、このストッパー手段Ｓは同回動軸部６でコンパクトに納められて形成され、確実に作用するものとなる。
【００２１】
又、この実施形態の竪樋支持具においては、包持される竪樋３を前方へ押圧して両係止片部８に押し当てる弾性付勢手段Ｆを竪樋保持体４の固定片部５に設けているので、同竪樋保持体４が前方へ開口した平面視略コ字状に形成されたものであっても、角型の同竪樋３を確実にがたつきなく安定して保持することができる。なお、この実施形態の竪樋支持具においては、前記の如く、軸ピン９の外周面に突起１１を設け、この突起１１が軸受け１０の切欠開口１２で着脱自在に係止されることにより可動片部７の回動を停止維持させるストッパー手段Ｓとしているが、ストッパー手段Ｓとしては、軸ピン９の外周面に溝を設け、この溝が着脱自在に係止される突部を軸受け１０の内周面に設けたものであってもよく、軸ピン９と軸受け１０との間相互で着脱自在に係止される構成を採用すればよい。
【図面の簡単な説明】
【００２２】
【図１】本願発明の一実施形態である竪樋支持具の施工状態を示す横断面図。
【図２】同竪樋支持具を示す斜視図。
【図３】同竪樋支持具の要部を拡大して示す分解斜視図。
【図４】同竪樋支持具の要部を拡大して示す（ａ）は回動閉時における平面図、（ｂ）は回動開時における平面図。
【図５】従来例１である竪樋支持具の施工状態を示す横断面図。
【図６】従来例２である竪樋支持具の施工状態を示す横断面図。
【符号の説明】
【００２３】
１  建物壁面
２  取付支持体
３  竪樋
４  竪樋保持体
５  固定片部
６  回動軸部
７  可動片部
８  係止片部
９  軸ピン
１０  軸受け
１１  突起
１２  切欠開口
Ｓ  ストッパー手段
Ｆ  弾性付勢手段
【図１】
2006257734.tif 000003
【図２】
2006257734.tif 000004
【図３】
2006257734.tif 000005
【図４】
2006257734.tif 000006
【図５】
2006257734.tif 000007
【図６】
2006257734.tif 000008